(57)【要約】  ホログラム記録装置は、記録すべき情報に応じて光変調された信号光（Ｓ）を記録媒体（Ｂ）に対して所定の入射角をなすように照射する信号光照射手段（５）と、少なくとも光の入射面（１０ａ）、反射面（１０ｂ）、および出射面（１０ｃ）となる複数の面を有し、これらの面を順に通って記録媒体（Ｂ）に達するように記録参照光（Ｒｓ）を導く記録用プリズム（１０）と、記録媒体（Ｂ）に対する記録参照光（Ｒｓ）の入射角を変化させながら信号光（Ｓ）と重ねるように記録用プリズム（１０）を記録媒体（Ｂ）上で揺動させる揺動手段とを備えている。
2009075024.tif 000002
【特許請求の範囲】
【請求項１】
記録すべき情報に応じて光変調された信号光を記録媒体に対して所定の入射角をなすように照射する信号光照射手段と、
少なくとも光の入射面、反射面、および出射面となる複数の面を有し、これらの面を順に通って上記記録媒体に達するように記録参照光を導く記録用プリズムと、
上記記録媒体に対する上記記録参照光の入射角を変化させながら上記信号光と重ねるように上記記録用プリズムを上記記録媒体上で揺動させる揺動手段と、
を備えていることを特徴とする、ホログラム記録装置。
【請求項２】
上記記録用プリズムは、その反射面で上記記録参照光を鈍角に反射させるように上記記録媒体の上面側に配置されている、請求項１に記載のホログラム記録装置。
【請求項３】
上記記録用プリズムと同様に少なくとも光の入射面、反射面、および出射面となる複数の面を有し、これらの面を順に通って上記記録媒体に達するように再生参照光を導く再生用プリズムを備え、この再生用プリズムは、その反射面で上記再生参照光を鈍角に反射させて上記記録用プリズムとは反対側から導くように上記記録媒体の下面側に配置されている、請求項２に記載のホログラム記録装置。
【請求項４】
上記揺動手段は、上記記録媒体の上面側と下面側に分かれた端部を有し、これらの端部に上記記録用プリズムおよび再生用プリズムが固定されたアーム部材と、上記記録媒体に平行な所定の軸周りに上記アーム部材を回転させる駆動モータとを有して構成されている、請求項３に記載のホログラム記録装置。
【発明の詳細な説明】
【技術分野】
【０００１】
本発明は、一定入射角の信号光に対して参照光の入射角を変化させることによりホログラムを多重記録するホログラム記録装置に関する。
【背景技術】
【０００２】
従来のホログラム記録装置としては、特許文献１に開示されたものがある。同文献に開示されたものは、記録媒体に対して垂直に信号光を照射するとともに、多重ミラーの傾きを制御することで入射角を変化させながら記録用の参照光（以下、「記録参照光」と称する）を照射するものである。多重ミラーは、支持部材によって支持された箇所を支点に傾けられ、支持部材は、記録媒体に対して平行移動するように構成されている。記録参照光は、多重ミラーの傾きに応じて記録媒体に対する入射角が変化させられ、その際、多重ミラーが記録媒体に対して平行移動することで記録参照光が信号光と重なるように照射される。このような構成によれば、記録媒体において信号光と記録参照光が干渉することにより、これらの交差角に応じたホログラムが多重記録される。【０００３】
【特許文献１】特開２００５−２３４１４５号公報
【０００４】
しかしながら、上記従来のホログラム記録装置では、記録参照光の入射角を変化させるために多重ミラーの傾きを制御しなければならず、それに加え、信号光の照射位置から記録参照光がずれないように記録媒体に対する多重ミラーの平行移動量も制御しなければならないため、制御としては複雑になるという難点があった。【０００５】
また、記録参照光は、多重ミラーに対して常に一定の光束径で入射するため、記録媒体に対する入射角が大きくなればなるほど照度余弦則により記録媒体上の光強度が低下する。これを補うには、入射角が大きくなるにつれて照射時間を長くすればよいが、そうすると、記録時間が長くなってしまう。
【発明の開示】
【０００６】
本発明は、上記した事情のもとで考え出されたものである。本発明は、記録参照光の照射制御を簡単かつ迅速に行うことができるホログラム記録装置を提供することをその課題としている。
【０００７】
上記課題を解決するため、本発明では、次の技術的手段を講じている。
【０００８】
本発明により提供されるホログラム記録装置は、記録すべき情報に応じて光変調された信号光を記録媒体に対して所定の入射角をなすように照射する信号光照射手段と、少なくとも光の入射面、反射面、および出射面となる複数の面を有し、これらの面を順に通って上記記録媒体に達するように記録参照光を導く記録用プリズムと、上記記録媒体に対する上記記録参照光の入射角を変化させながら上記信号光と重ねるように上記記録用プリズムを上記記録媒体上で揺動させる揺動手段と、を備えていることを要件としている。
【０００９】
好ましくは、上記記録用プリズムは、その反射面で上記記録参照光を鈍角に反射させるように上記記録媒体の上面側に配置されている。
【００１０】
好ましくは、上記記録用プリズムと同様に少なくとも光の入射面、反射面、および出射面となる複数の面を有し、これらの面を順に通って上記記録媒体に達するように再生参照光を導く再生用プリズムを備え、この再生用プリズムは、その反射面で上記再生参照光を鈍角に反射させて上記記録用プリズムとは反対側から導くように上記記録媒体の下面側に配置されている。
【００１１】
好ましくは、上記揺動手段は、上記記録媒体の上面側と下面側に分かれた端部を有し、これらの端部に上記記録用プリズムおよび再生用プリズムが固定されたアーム部材と、上記記録媒体に平行な所定の軸周りに上記アーム部材を回転させる駆動モータとを有して構成されている。
【図面の簡単な説明】
【００１２】
【図１】本発明が適用されたホログラム記録装置の一実施形態を示す斜視図である。
【図２】図１に示すホログラム記録装置の要部拡大断面図である。
【図３】図１に示すホログラム記録装置の要部拡大断面図である。
【図４】図１に示すホログラム記録装置の要部拡大断面図である。
【図５】図１に示すホログラム記録装置の要部拡大断面図である。
【図６】比較例１として異なる光学要素を備えた装置の要部拡大断面図である。
【図７】比較例２として異なる光学要素を備えた装置の要部拡大断面図である。
【図８】比較例３として異なる光学要素を備えた装置の要部拡大断面図である。
【発明を実施するための最良の形態】
【００１３】
以下、本発明の好ましい実施の形態を、図面を参照して具体的に説明する。【００１４】
図１〜５は、本発明が適用されたホログラム記録装置の一実施形態を示している。図１に示すように、本実施形態のホログラム記録装置Ａは、ディスク状の記録媒体Ｂに対し、所定の方向に傾けた状態で一定の入射角θｓ（図２参照）となるように信号光Ｓを照射し、この信号光Ｓの照射部位ｐに向けて入射角を可変制御しながら記録参照光Ｒｓを照射することにより、いわゆる角度多重方式によってホログラムを記録媒体Ｂに多重記録するものである。照射部位ｐには、記録参照光Ｒｓの入射角に応じて重畳的に複数のホログラムが記録され、この照射部位ｐが記録部位（ｐ）となる。また、ホログラム記録装置Ａは、記録部位ｐに向けて記録参照光Ｒｓとは逆向きに入射角を可変制御しながら再生参照光Ｒｐを照射することにより、記録時の入射角に応じた再生光を受光してホログラムを再生する機能を備えている。【００１５】
ホログラム記録装置Ａは、記録媒体Ｂに対して信号光Ｓを照射する信号光照射手段と、入射角を可変制御しながら記録参照光Ｒｓや再生参照光Ｒｐを照射するための参照光照射手段とを備えている。図外には、レーザビームを発する光源や、レーザビームを信号光Ｓと参照光Ｒｓ，Ｒｐとに分離するためのビームスプリッタ、さらにはレーザビームを平行光に変換するコリメータレンズなどが設けられており、再生光を受光する撮像素子などといった再生用の光学要素も設けられている。【００１６】
信号光照射手段は、空間光変調器２、リレーレンズ３、ハーフミラー４、および対物レンズ５で構成される。参照光照射手段は、記録参照光Ｒｓを記録媒体Ｂへと導く記録用プリズム１０、再生参照光Ｒｐを記録媒体Ｂへと導く再生用プリズム１１、およびこれらを一体的に揺動させる揺動手段２０で構成される。揺動手段２０は、Ｕ字型のアーム部材２１と駆動モータ２２で構成される。記録用プリズム１０は、記録媒体Ｂの上面側に配置されたアーム部材２１の一端に固定されており、再生用プリズム１１は、記録媒体Ｂの下面側に配置されたアーム部材２１の他端に固定されている。アーム部材２１は、駆動モータ２２の回転軸ｘを中心に揺動させられる。駆動モータ２２は、その回転軸ｘが記録媒体Ｂの径方向に沿うように配置されている。これらの構成要素からなる信号光照射手段および参照光照射手段ならびに揺動手段２０は、記録媒体Ｂの径方向に往復移動可能なキャリッジ部材（図示略）に搭載されており、いわゆるシーク動作と記録媒体Ｂの回転動作によって所望とする照射部位ｐに信号光Ｓと参照光Ｒｓ，Ｒｐを照射可能である。【００１７】
図２などに示すように、記録媒体Ｂは、たとえばフォトポリマーの記録層９０を中間層として有し、この記録層９０の両側に透光性のカバー層９１，９２を積層した構造からなる。本実施形態では、たとえば記録層９０の厚みが１．５ｍｍ程度、カバー層９１，９２の厚みが０．５ｍｍ程度である。記録時には、ホログラム記録媒体Ｂの上面側から信号光Ｓおよび記録参照光Ｒｓが照射される。再生時には、記録媒体Ｂの下面側から再生参照光Ｒｐのみが照射される。【００１８】
図外の光源から出射したレーザビームは、図示しないコリメータレンズで平行光に変換された後、ビームスプリッタを介して信号光Ｓと記録参照光Ｒｓあるいは再生参照光Ｒｐに分離される。信号光Ｓは、空間光変調器２へと導かれ、記録参照光Ｒｓは、記録用プリズム１０へと導かれる一方、再生参照光Ｒｐは、再生用プリズム１１へと導かれる。【００１９】
空間光変調器２は、たとえば透過型の液晶デバイスからなり、入射した信号光Ｓを記録すべき情報に応じて２次元画素パターンの光に変調する。空間光変調器２から出射した信号光Ｓは、ズームレンズ３を介してハーフミラー４へと導かれ、最終的に対物レンズ５を介して記録媒体Ｂに照射される。対物レンズ５は、その光軸が記録媒体Ｂに対して一定の入射角をなすように配置されている。信号光Ｓの照射部位ｐは、図２などに示すように断面からみると、記録層９０において概ね平行四辺形状に形成される。【００２０】
図２などの断面図に示すように、記録用プリズム１０および再生用プリズム１１のそれぞれは、光の入射面１０ａ，１１ａ、反射面１０ｂ，１１ｂ、出射面１０ｃ，１１ｃとなる面をもち、互いに一体となって駆動モータ２２の回転軸ｘを中心に揺動させられる。記録用プリズム１０の入射面１０ａには、記録媒体Ｂに対して概ね平行で一定の光束径ｄの記録参照光Ｒｓが入射し、再生用プリズム１１の入射面１１ａにも、記録媒体Ｂに対して概ね平行で一定の光束径ｄ’の再生参照光Ｒｐが入射する。たとえば、記録参照光Ｒｓの光束径ｄは、１．４ｍｍ程度であり、再生参照光Ｒｐの光束径ｄ’は、１．０５ｍｍ程度である。【００２１】
記録用プリズム１０は、たとえば空気よりも屈折率が大きいガラス製であり、対物レンズ５から出射した信号光Ｓや記録媒体Ｂと干渉しないように頂角が除去されている。記録用プリズム１０には、入射面１０ａ、反射面１０ｂ、出射面１０ｃ以外に光学作用に寄与しない面１０ｄが設けられている。これらの面のうち少なくとも入射面１０ａおよび出射面１０ｃには、無反射コート膜が形成されている。記録用プリズム１０における最も薄い部分の厚み寸法は、たとえば０．９５７ｍｍ程度である。このような記録用プリズム１０には、記録参照光Ｒｓが常に入射面１０ａから入射する。記録参照光Ｒｓは、入射面１０ａで若干屈折させられた後、反射面１０ｂで鈍角に反射させられ、さらに出射面１０ｃで屈折させられた後、記録媒体Ｂの上面に照射される。すなわち、反射面１０ｂでは、記録参照光Ｒｓの入射角が所定の臨界角よりも大きくなるため、特に反射膜が形成されていない反射面１０ｂでも全反射条件により記録参照光Ｒｓが反射させられる。【００２２】
再生用プリズム１１は、記録用プリズム１０と同様にガラス製であり、この再生用プリズム１１にも、入射面１１ａ、反射面１１ｂ、出射面１１ｃ以外に光学作用に寄与しない面１１ｄが設けられている。これらの面のうち少なくとも入射面１１ａおよび出射面１１ｃには、無反射コート膜が形成されている。再生用プリズム１１は、記録用プリズム１０と同程度の厚み寸法になっている。このような再生用プリズム１１には、再生参照光Ｒｐが常に入射面１１ａから入射する。再生参照光Ｒｐは、入射面１１ａで若干屈折させられた後、反射面１１ｂで鈍角に反射させられ、さらに出射面１１ｃで屈折させられた後、記録媒体Ｂの下面に照射される。すなわち、再生用プリズム１１の反射面１１ｂでも、再生参照光Ｒｐの入射角が所定の臨界角よりも大きくなるため、特に反射膜が形成されていない反射面１１ｂでも全反射条件により再生参照光Ｒｐが反射させられる。【００２３】
図２〜４に実線で示すように、記録用プリズム１０と再生用プリズム１１は、アーム部材２１が駆動モータ２２の動作に応じて揺動中にあっても、記録媒体Ｂに対して常に記録参照光Ｒｓと再生参照光Ｒｐの入射角が等しくなるような相対位置にある。たとえば、図２に示す状態では、記録参照光Ｒｓおよび再生参照光Ｒｐの入射角が３４deg、図３に示す状態では入射角が５０．７deg、図４に示す状態では入射角が６７degとなる。また、記録用プリズム１０および再生用プリズム１１は、記録媒体Ｂに対する参照光Ｒｓ，Ｒｐの入射角が大きくなるにつれてそれらの光束径をより縮小させるといった光学的な作用をもつ。たとえば、記録参照光Ｒｓおよび再生参照光Ｒｐのプリズム入射前における光束径ｄ，ｄ’をそれぞれ１．４ｍｍ、１．０５ｍｍとし、入射角３４degのとき（図２に示す状態の場合）、プリズム出射後の光束径は、１．０５ｍｍ、１．０２ｍｍ程度となる。入射角５０．７degのとき（図３に示す状態の場合）、プリズム出射後の光束径は、０．８７ｍｍ、０．９２ｍｍ程度となる。入射角６７degのとき（図４に示す状態の場合）、プリズム出射後の光束径は、０．６１ｍｍ、０．８１ｍｍ程度となる。【００２４】
たとえば記録参照光Ｒｓのプリズム出射後の光束径（１．０５ｍｍ、０．８７ｍｍ、０．６１ｍｍ）に対して照度余弦則を適用すると、記録媒体Ｂ上における記録参照光Ｒｓの照射幅は、１．２７ｍｍ、１．３７ｍｍ、１．５５ｍｍとなる。これによれば、照度余弦則によっても光強度が著しく低下することなく、ある程度十分な光強度をもって記録参照光Ｒｓが照射される。再生参照光Ｒｐについても同様である。再生参照光Ｒｐのプリズム出射後の光束径（１．０２ｍｍ、０．９２ｍｍ、０．８１ｍｍ）に対して照度余弦則を適用すると、記録媒体Ｂ上における再生参照光Ｒｐの照射幅は、１．２３ｍｍ、１．４５ｍｍ、２．０７ｍｍとなる。最大となる入射角６７degでは、記録参照光Ｒｓの照射幅（１．５５）と再生参照光Ｒｐの照射幅（２．０７）の差異が比較的大きくなるが、再生時にはホログラム記録済みの記録部位ｐに対して再生参照光Ｒｐを照射するだけでよいので、光強度の低下が記録時に比べて問題にならない。【００２５】
図５においては、入射角３４degの状態を実線、入射角５０．７degの状態を破線、入射角６７degの状態を細い破線で示している。同図に示すように、入射角を３４〜６７degまで変化させた場合、記録参照光Ｒｓは、記録媒体Ｂの水平方向に大きく変位することなく、記録層９０における記録参照光Ｒｓの中心変位量が６５μｍ程度となる。また、記録参照光Ｒｓと再生参照光Ｒｐとの位置関係について見ると、これらの参照光Ｒｓ，Ｒｐも記録媒体Ｂの水平方向に互いに大きくずれることなく、記録層９０における参照光Ｒｓ，Ｒｐの中心ずれ量が５０μｍ程度となっている。すなわち、記録参照光Ｒｓや再生参照光Ｒｐについては、入射角を変化させても水平方向位置ずれが極めて小さく、所望とする照射部位ｐに容易に合わせることができる。【００２６】
駆動モータ２２の回転軸ｘは、記録用プリズム１０と再生用プリズム１１との間となる照射部位ｐ付近の所定位置に設定されている。上記したように記録参照光Ｒｓおよび再生参照光Ｒｐの入射角を３４〜６７degの範囲で変化させる場合、アーム部材２１は、たとえば記録用プリズム１０および再生用プリズム１１に代えて単純な反射ミラーを適用した場合には、（６７−３４）／２＝１６．５degの角度範囲内で回転軸ｘを中心に揺動させられるが、これらのプリズム１０，１１は、回転によって光学倍率が変化させられるので、反射ミラーを用いた場合の１６．５degよりも倍率に応じて小さい角度範囲内で揺動させられる。たとえば、本実施形態においては、３４degの入射角から６７degの入射角まで変化させる場合のアーム部材２１の揺動角度は、記録時が１２．４３５deg、再生時が１５．３５２degとなり、いずれも１６．５degより小さくなる。つまり、倍率変化の大きい記録用プリズム１０を用いた記録時の方がアーム部材２１の揺動角度がより小さくなる。【００２７】
信号光Ｓは、対物レンズ５によって集光され、照射部位ｐにおいて記録参照光Ｒｓと重なるように照射される。対物レンズ５は、信号光Ｓの主光線が一定の入射角で照射されるように記録媒体Ｂに対して斜めに設けられている。そのため、記録参照光Ｒｓについては、対物レンズ５にけられることなく入射角を大きく変化させることができる。これにより、記録参照光Ｒｓの入射角をより細かく制御することができ、ひいてはホログラムの多重記録密度を容易に高めることができる。図２などに示すように、照射部位ｐにおいては、信号光Ｓと記録参照光Ｒｓとが重なった記録層９０の部分にホログラムが形成され、記録参照光Ｒｓの入射角に応じて異なるホログラムが多重記録される。【００２８】
再生時には、ホログラムが形成された記録部位ｐに対して記録時と同じ入射角をなすように再生参照光Ｒｐが照射される。再生参照光Ｒｐは、記録済みのホログラムに干渉することで回折され、これにより回折光としての再生光が生じる。再生光は、信号光Ｓとは逆向きに対物レンズ５を通ってハーフミラー４に到達し、このハーフミラー４を透過して図示しない撮像素子で受光される。この撮像素子から出力される画像信号を光復調処理することにより、ホログラムとして記録された情報が再生される。このような一連の再生処理を再生参照光Ｒｐの入射角を変化させながら行うことにより、多重記録されたホログラムが再生される。【００２９】
次に、比較例１〜３に比べて本実施形態のホログラム記録装置Ａの利点について説明する。【００３０】
図６の比較例１は、記録媒体Ｂに対して概ね垂直な記録参照光Ｒｓに記録用プリズム１００を適用した場合、図７の比較例２は、記録用プリズム２００にミラー部材２０１を組み合わせて用いた場合、図８の比較例３は、記録媒体Ｂに対して概ね平行な記録参照光Ｒｓおよび再生参照光Ｒｐに記録用プリズム３００および再生用プリズム４００を適用した場合を示している。各比較例１〜３においては、本実施形態と同様に記録参照光Ｒｓの入射角を３４〜６７degの範囲で変化させており、いずれの図においても、入射角３４degの状態を実線、入射角が概ね中間の角度となる状態を破線、入射角６７degの状態を細い破線で示している。これら全ての比較例１〜３において共通している点は、記録用プリズム１００，２００，３００や再生用プリズム４００の入射面と出射面が共通の入射斜面１００ａ，２００ａ，３００ａ，４００ａとなっている点である。また、反射面１００ｂ，２００ｂ，３００ｂ，４００ｂでは、記録参照光Ｒｓや再生参照光Ｒｐが鋭角に反射させられている。このような点が本実施形態の記録用プリズム１０および再生用プリズム１１と異なる。【００３１】
図６の比較例１では、プリズム出射後の光束径を上記実施形態と同程度にすべく、記録用プリズム１００の入出射面１００ａに対して一定光束径ｄ１の記録参照光Ｒｓを比較的大きな入射角で入射させている。プリズム入射前の光束径ｄ１は、上記実施形態の光束径ｄよりも小さい。具体的には、記録媒体Ｂに対する記録参照光Ｒｓの入射角を３４deg、５０．７deg、６７degとした場合、プリズム出射後の光束径は、それぞれ１．０１ｍｍ、０．６９ｍｍ、０．６１ｍｍになる。このような比較例１の記録用プリズム１００では、入出射面１００ａに対して比較的大きな入射角で記録参照光Ｒｓが入射させられ、また、反射面１００ｂで鋭角に記録参照光Ｒｓが反射させられるため、入出射面１００ａや反射面１００ｂが比較的大きく形成される。【００３２】
また、比較例１では、入射角を３４〜６７degまで変化させた場合、記録参照光Ｒｓが記録媒体Ｂの水平方向に大きく変位し、記録層９０における記録参照光Ｒｓの中心変位量が５００μｍ以上にもなる。これでは、定位置となる信号光Ｓの照射部位ｐに対して記録参照光Ｒｓの照射位置ずれが生じやすい。さらに、プリズム出射後の光束径（１．０１ｍｍ、０．６９ｍｍ、０．６１ｍｍ）に対して照度余弦則を適用すると、記録媒体Ｂ上における記録参照光Ｒｓの照射幅は、１．２２ｍｍ、１．０７ｍｍ、１．５６ｍｍとなる。これでは、中間の入射角５０．７degにおいて記録参照光Ｒｓと信号光Ｓとの露光領域不足が生じやすい。【００３３】
図７の比較例２でも、プリズム出射後の光束径を上記実施形態と同程度にすべく、記録用プリズム２００の入出射面２００ａに対して一定光束径ｄ２の記録参照光Ｒｓを比較的大きな入射角で入射させている。入出射面２００ａは、記録媒体Ｂに対して概ね対面するような姿勢をとる。そのため、記録参照光Ｒｓは、固定ミラー２１０を介して入出射面２００ａに入射させられる。具体的には、記録媒体Ｂに対する記録参照光Ｒｓの入射角を３４deg、４９．５deg、６７degとした場合、プリズム出射後の光束径は、それぞれ１．０１ｍｍ、０．９２ｍｍ、０．６１ｍｍになる。このような比較例２の記録用プリズム２００では、比較例１よりも入出射面２００ａや反射面２００ｂが小さくなるが、それでも上記実施形態の記録用プリズム１０よりも大きくなり、その上、固定ミラー２１０を設置するなどいった配置上の難点がある。入出射面２００ａや反射面２００ｂをより小さくするには、入出射面２００ａに対して下方からできる限り鋭角に記録参照光Ｒｓを入射させればよいが、記録参照光Ｒｓを導く固定ミラー２１０と記録媒体Ｂとが干渉するため、それによっても上記実施形態ほど記録用プリズム２００を小型化することはできない。【００３４】
図８の比較例３では、記録用プリズム３００や再生用プリズム４００の入出射面３００ａ，４００ａに対して記録媒体Ｂに概ね平行な参照光Ｒｓ，Ｒｐが一定光束径で入射させられる。この比較例３においても、入出射面３００ａ，４００ａは、記録媒体Ｂに対して概ね対面するような姿勢をとる。記録媒体Ｂに対する記録参照光Ｒｓの入射角を３４deg、４９．７deg、６７degとした場合、プリズム出射後の記録参照光Ｒｓの光束径は、それぞれ１．０３ｍｍ、０．９３ｍｍ、０．６１ｍｍになる。記録媒体Ｂに対する再生参照光Ｒｐの入射角も同様に３４deg、４９．７deg、６７degとした場合、プリズム出射後の再生参照光Ｒｐの光束径は、それぞれ１．０８ｍｍ、１．０３ｍｍ、０．８５ｍｍになる。このような比較例３の記録用プリズム３００や再生用プリズム４００では、固定ミラーなどが必要とされないものの、比較例２よりも形状が大きくなる。たとえば、図２〜５に示す本発明が適用された例の場合、記録用プリズム１０および再生用プリズム１１の端同士の離間距離は、１５．２ｍｍであり、図８では、離間距離が２１．９ｍｍになる。イナーシャは、上記離間距離の二乗が目安になるため、単純に二乗したものの値を比較すると、２倍の差が生じる。【００３５】
また、比較例３では、入射角を３４〜６７degまで変化させた場合、記録参照光Ｒｓが記録媒体Ｂの水平方向に若干大きく変位し、記録層９０における記録参照光Ｒｓの中心変位量が１１０μｍ程度となる。記録参照光Ｒｓと再生参照光Ｒｐとの位置関係について見ると、これらの参照光Ｒｓ，Ｒｐも記録媒体Ｂの水平方向に若干ずれた状態となり、記録層９０における参照光Ｒｓ，Ｒｐの中心ずれ量が９０μｍ程度となっている。これでは、定位置となる照射部位（記録部位）ｐに対して記録参照光Ｒｓや再生参照光Ｒｐの照射位置ずれが懸念される。比較例３は、プリズム３００の厚みを増していくと記録光Ｓと干渉してしまうことを考慮し、可能な限り最も厚みのあるプリズム３００となるように設計している。このとき、最も薄い部分の厚み寸法は、たとえば０．９７７ｍｍ程度で記録用プリズム１０と同程度であるが、最も厚い部分も１．０６ｍｍ程度である。これは、記録用プリズム１０で２．２７ｍｍとなるのに対してその半分程度の厚みしかとれないことを意味する。平均した長手方向寸法は、記録用プリズム１０が中央部で４．３３７ｍｍであるのに対し、比較例３では８．０１７ｍｍとなっており、長手方向寸法では２倍近く長くなっている。【００３６】
さらに、上記比較例１〜３の全てにおいては、反射面１００ｂ，２００ｂ，３００ｂ，４００ｂで記録参照光Ｒｓや再生参照光Ｒｐが鋭角に反射させられるように構成されている。つまり、反射面１００ｂ，２００ｂ，３００ｂ，４００ｂでは、記録参照光Ｒｓや再生参照光Ｒｐの入射角が所定の臨界角よりも小さくなるため、これらの反射面１００ｂ，２００ｂ，３００ｂ，４００ｂには必ず反射膜を形成しておく必要がある。一般に、プリズムに対して誘電体反射多層膜を付加する場合、長さ５ｍｍに対して１ｍｍの厚みが必要になる。前述の比較例３とプリズム１０との比較から明らかなように、比較例３においては、付加された反射膜の応力による反りが非常に発生しやすくなっている。【００３７】
したがって、本実施形態のホログラム記録装置Ａによれば、記録用プリズム１０や再生用プリズム１１において参照光Ｒｓ，Ｒｐが異なる入射面１０ａ，１１ａおよび出射面１０ｃ，１１ｃを通り、かつ、反射面１０ｂ，１１ｂで参照光Ｒｓ，Ｒｐが鈍角に反射させられるため、定位置の照射部位（記録部位）ｐに対して記録参照光Ｒｓや再生参照光Ｒｐの照射位置を常に正確に合わせることができ、照射制御を簡単かつ迅速に行うことができる。特に反射面１０ｂ，１１ｂでは、全反射条件により参照光Ｒｓ，Ｒｐが反射させられので、波面収差をできる限り抑えることができるといった有利な点もある。【００３８】
本実施形態の記録用プリズム１０や再生用プリズム１１は、ある程度の厚みを確保しつつも三角プリズムを変形したような小型の形態からなるので、これらのプリズム１０，１１を揺動させる際のイナーシャによる負荷を低減させることができ、入射角を変化させる際の揺動動作の高速化を容易に図ることができる。【００３９】
本実施形態のホログラム記録装置Ａでは、記録媒体Ｂの近傍に固定ミラーを設置したり、あるいはプリズムの反射面に反射膜を形成したりする必要がないので、部品コストや製造コストが抑えられるといった利点もある。【００４０】
なお、本発明は、上記の実施形態に限定されるものではない。【００４１】
上記実施形態で示した寸法や値などは、あくまでも一例にすぎず、請求の範囲に記載の範囲内であれば仕様に応じて適宜設計変更することが可能である。
【図１】
2009075024.tif 000003
【図２】
2009075024.tif 000004
【図３】
2009075024.tif 000005
【図４】
2009075024.tif 000006
【図５】
2009075024.tif 000007
【図６】
2009075024.tif 000008
【図７】
2009075024.tif 000009
【図８】
2009075024.tif 000010
【国際調査報告】
2009075024.tif 000011
2009075024.tif 000012
2009075024.tif 000013
2009075024.tif 000014